(57)【要約】【課題】  収納された書類の特定部分だけを外部から見ることができ、その特定部分における記載内容を強調表示することができる書類ファイルを提供する。【解決手段】  書類ファイルＦは、ポリプロピレン製の表裏２枚の透明な縦長長方形シート１・２が、４辺のうちの隣り合う２辺である左辺１ａ・２ａおよび下辺１ｂ・２ｂの縁部どうしで一体化され、残りの２辺である右辺１ｃ・２ｃおよび上辺１ｄ・２ｄの縁部で開口されてなる。表側シート１には、透明部３と不透明部４とが設けられている。透明部３は、書類ファイルＦに収納されるカタログＣの特定部分１０を実質的に透視することができる部分であり、不透明部４は、透明部３以外の部分に設けられ、カタログＣの非特定部分１１を実質的に透視しにくくするための部分である。【選択図】  図１
2005297321.tif 000002
【特許請求の範囲】
【請求項１】
表裏２枚の長方形シートが、４辺のうちの１辺または隣り合った２〜３辺の縁部どうしで一体化され、残りの３〜１辺の縁部で開口されてなる書類ファイルであって、表側シートに、収納される書類の特定部分を透視することのできる透明部と、この透明部以外の部分における不透明部とが設けられており、透明部と不透明部との境界線の形状が、略円弧、略楕円弧、直線、任意形状の曲線、またはこれらの２つ以上の組み合わせであることを特徴とする書類ファイル。
【請求項２】
透明部と不透明部との境界線が、不透明部から透明部へ段階的に濃淡の付けられたものである請求項１に記載の書類ファイル。
【請求項３】
不透明部に、文字、図形および／または記号が施されている請求項１または２に記載の書類ファイル。
【請求項４】
図形が、キャラクターであり、そのキャラクターが、透明部を指し示している請求項３に記載の書類ファイル。
【請求項５】
書類が収納されている請求項１〜４のいずれか１つに記載の書類ファイル。
【発明の詳細な説明】
【技術分野】
【０００１】
本発明は、文書、カタログ、パンフレットなどの書類を収納するための書類ファイルに関するものである。
【背景技術】
【０００２】
従来、このような書類ファイルとしては例えば、重ね合わされた２枚の透明ビニール板における一方の折り曲げ部に対向した開放端部に、インデックス取付け部を設けたものや、特許文献２のように、１枚の透明シートを折り曲げて重ね合わせ、この折り曲げ部に隣接する２片にシール部を形成したものなどがあった。
【０００３】
【特許文献１】特開平１０−７１７９３号公報
【特許文献２】特開２０００−１５９７２号公報
【発明の開示】
【発明が解決しようとする課題】
【０００４】
しかしながら、特許文献１に記載されたものは必要な書類が入った書類ファイルを即座に選び出すためのものであり、また、特許文献２に記載されたものは書類の収納が確実で不用意な脱落を防ぐためのものであり、いずれも全体が透明である。このため、これらの書類ファイルによれば、収納された書類の全体を外部へ見せることができるものの、その書類の特定部分だけを外部に見せることはできず、その特定部分における記載内容を強調表示することができないという問題点があった。
【０００５】
本発明の課題は、このような従来技術の問題点を解決し、収納された書類の特定部分だけを外部から見ることができ、その特定部分における記載内容を強調表示することができる書類ファイルを提供することにある。
【課題を解決するための手段】
【０００６】
本発明によれば、表裏２枚の長方形シートが、４辺のうちの１辺または隣り合った２〜３辺の縁部どうしで一体化され、残りの３〜１辺の縁部で開口されてなる書類ファイルであって、表側シートに、収納される書類の特定部分を透視することのできる透明部と、この透明部以外の部分における不透明部とが設けられており、透明部と不透明部との境界線の形状が、略円弧、略楕円弧、直線、任意形状の曲線、またはこれらの２つ以上の組み合わせであることを特徴とする書類ファイルが提供される。
【０００７】
すなわち、本発明に係る書類ファイルは、例えばプラスチック製の表裏２枚の長方形シートが、４辺のうちの１辺または隣り合った２〜３辺の縁部どうしで一体化され、残りの３〜１辺の縁部で開口されてなり、表側シートに透明部と不透明部とが設けられている。そして、透明部と不透明部との境界線の形状は、略円弧、略楕円弧、直線、任意形状の曲線、またはこれらの２つ以上の組み合わせからなる形状である。
【０００８】
透明部は、この書類ファイルに収納される書類の特定部分を実質的に透視することができる部分であり、その透明度が、いわゆる完全透明からいわゆる半透明までの範囲にあるものである。不透明部は、表側シートの透明部以外の部分に設けられ、この書類ファイルに収納される書類の前記特定部分以外の部分である非特定部分を実質的に隠すかあるいは透視しにくくするための部分であり、その透明度が、いわゆる完全不透明からいわゆる半透明までの範囲にあるものである。
【０００９】
透明部および不透明部は、書類ファイルのシートを例えば透明プラスチックから作る場合には、透明な表側シートの所定部分に、印刷などの手段で不透明部を設けることにより得られる。
【発明の効果】
【００１０】
本発明に係る書類ファイルにあっては、表側シートに、収納される書類の特定部分を透視することのできる透明部と、この透明部以外の部分における不透明部とが設けられているので、収納された書類の特定部分だけを透明部を通して外部から見ることができ、その特定部分における記載内容を強調表示することができる。
【発明を実施するための最良の形態】
【００１１】
透明部は例えば、表側シートの全面積のうち約１０％〜約６０％の面積を占めるように形成される。この透明部の面積は、収納される書類の特定部分の位置や大きさあるいはその記載内容などに応じて、適宜設定される。
【００１２】
不透明部には、文字、図形および／または記号が、印刷などの手段によって施されていてもよい。そのような場合には、不透明部に施された文字、図形および／または記号によって、収納される書類の全部または一部（例えば特定部分）における記載内容を明示したり暗示したりすることができる。ここで、不透明部に施された図形は、例えばキャラクターであり、そのキャラクターが透明部を指し示すものであってもよい。そのような場合には、透明部を通して外部から見ることができる「収納された書類の特定部分における記載内容」をそのキャラクターによっていっそう印象的に強調表示することができる。
【００１３】
透明部と不透明部との境界線の形状は、前記のように、略円弧、略楕円弧、直線、任意形状の曲線、またはこれらの２つ以上の組み合わせからなる形状である。この境界線の形状は、透明部を通して透視することのできる書類の特定部分における記載内容や、不透明部に施された文字、図形および／または記号の内容などに応じて、適宜決められる。
【００１４】
透明部と不透明部との境界線は、不透明部から透明部へ段階的に濃淡の付けられたもの―いわゆる「ぼかし」処理の施されたもの―であってもよい。その場合には、書類ファイルを使用する人や書類の収納された書類ファイルを受け取った人などに、おだやかさ、やさしさなどの特別な印象を与えることができる。
【００１５】
本発明に係る書類ファイルは、裏側シートにも、表側シートと同様な透明部と不透明部とが設けられていてもよい。その場合には、収納される書類の裏側においても、その特定部分をだけを裏側シートの透明部を通して外部から見ることができ、その特定部分における記載内容を強調表示することができる。
【００１６】
以下、例示としての目的だけで、添付図面である図１〜図４を参照して本発明の実施形態を説明する。
【００１７】
図１および図３に示すように、本発明に係る書類ファイルＦは、書類としての、尿検査用試験紙に関するカタログＣを収納するためのものであって、ポリプロピレン製の表裏２枚の透明な縦長長方形シート１・２が、４辺のうちの隣り合う２辺である左辺１ａ・２ａおよび下辺１ｂ・２ｂの縁部どうしで一体化され、残りの２辺である右辺１ｃ・２ｃおよび上辺１ｄ・２ｄの縁部で開口されてなる。
【００１８】
すなわち、左辺１ａ・２ａの縁部どうしは、１枚の横長長長方形シートを中央の縦折り目線で２つ折りにすることで、互いに表裏に連なっている。また、下辺１ｂ・２ｂの縁部どうしは、ヒートシール装置によりヒートシールされている。さらに、右辺１ｃ・２ｃおよび上辺１ｄ・２ｄの縁部は、何らの処理を施されることなく、開口されている。
【００１９】
表側シート１には、その右辺１ｃの上部に半円形の切欠部１ｅが設けられ、カタログＣの収納および取り出しを容易に行うことができるようにされている。表側シート１にはまた、透明部３と不透明部４とが設けられている。透明部３は、収納されるカタログＣの特定部分１０を実質的に透視することができる部分であり、不透明部４は、透明部３以外の部分に設けられ、収納されるカタログＣの非特定部分１１を実質的に透視しにくくするための部分である。
【００２０】
透明部３は表側シート1の略上半部に設けられ、不透明部４は表側シート1の略下半部に設けられている。透明部３と不透明部４との境界線はぼかされている。その境界線の形状は略楕円弧である。透明部３の面積は、表側シート1の全面積のうち約４５％を占めている。不透明部４は、印刷によって設けられたものであり、水色の地に、収納されるカタログＣの内容に関連した文字（その医薬品名、会社名など）および図形（その医薬品のキャラクターである擬人化したアリが透明部３を指し示している図形）が色付きで施されてなる。
【００２１】
図２において、裏側シート２はその全体が透明であり、収納されたカタログＣの例えば裏面の全体を透視することができる。なお、図２には、図示の便宜上、カタログＣなどが収納されていないときに透明な裏側シート２を通して見ることのできる表側シート1の不透明部４は示されていない。
【００２２】
図４には、以上のように構成された書類ファイルＦにカタログＣを収納した状態が示されている。図４に示されたように、カタログＣの特定部分１０である、会社名「フジサワ」や「尿路感染症シリーズ」の文字、腎臓の図、および顕微鏡をのぞいている人物の図などが記載された部分は、表側シート1の透明部３を通して透視することができる。また、カタログＣの非特定部分１１である、尿検査用試験紙の商品名、説明などが記載された部分は、表側シート1の不透明部４によって実質的に透視しにくくなっている。
【００２３】
なお、不透明部４は、いわゆる完全不透明ではなく、不透明部４を通して、収納された医薬品カタログＣの記載内容をわずかに透視することができる程度の透明度を有しているが、図示の便宜上、不透明部４を通してわずかに見ることのできるカタログＣの非特定部分１１は示されていない。
【００２４】
本発明に係る書類ファイルＦによれば、表側シート１に、カタログＣの特定部分１０を透視することのできる透明部３と、カタログＣの非特定部分１１を実質的に透視しにくくする不透明部４とが設けられているので、収納されたカタログＣの特定部分１０だけを透明部３を通して外部から見ることができ、したがって、カタログＣの収納された書類ファイルＦを受け取った人に、カタログＣの特定部分１０における記載内容を非特定部分１１における記載内容と関連させて強調表示することができる。
【産業上の利用可能性】
【００２５】
本発明は、文書、カタログ、パンフレットなどの書類を収納して、それらの特定部分における記載内容を強調表示するためなどに広く適用することができる。
【図面の簡単な説明】
【００２６】
【図１】図１は、本発明の１実施形態に係る書類ファイルの表側平面図である。
【図２】図２は、図１の書類ファイルの裏側平面図である。
【図３】図３は、図１の書類ファイルに収納される書類としてのカタログの表側平面図である。
【図４】図４は、図１の書類ファイルに図３のカタログが収納されたときの表側平面図である。
【符号の説明】
【００２７】
１：表側シート
２：裏側シート
３：透明部
４：不透明部
１０：特定部分
１１：非特定部分
Ｃ：カタログ（書類）
Ｆ：書類ファイル
【図１】
2005297321.tif 000003
【図２】
2005297321.tif 000004
【図３】
2005297321.tif 000005
【図４】
2005297321.tif 000006